(57)【要約】 【課題】  手軽で効果的なトレーニングを可能にすることで、Ｏ脚の矯正を良好に行うことができるＯ脚矯正用装具を提供する。【解決手段】  使用者の両足Ｆ，Ｆにそれぞれ装着される一対の足装具１０，１０と、一対の足装具１０，１０の爪先部同士を連結する爪先側連結部材２０とを備えており、爪先側連結部材２０は、一対の足装具１０，１０を踵部を中心に回動させることにより、弾性伸縮可能に構成されているＯ脚矯正用装具１である。【選択図】  図１
2014113182.tif 000002
【特許請求の範囲】
【請求項１】
使用者の両足にそれぞれ装着される一対の足装具と、
一対の前記足装具の爪先部同士を連結する爪先側連結部材とを備えており、
前記爪先側連結部材は、一対の前記足装具を踵部を中心に回動させることにより、弾性伸縮可能に構成されているＯ脚矯正用装具。
【請求項２】
前記各足装具の踵部は、踵後方側に突出する後部支点突起を備えており、
前記各足装具は、爪先側が上方を向くように前記後部支点突起を床面に当接させて、前記後部支点突起を中心に回動させることにより、前記爪先側連結部材が伸縮するように構成された請求項１に記載のＯ脚矯正用装具。
【請求項３】
前記各足装具の踵部は、足裏側に突出する下部支点突起を備えており、
前記各足装具は、前記下部支点突起を床面に当接させて、前記下部支点突起を中心に回動させることにより、前記爪先側連結部材が伸縮するように構成されており、
前記各足装具の裏面側には、前記下部支点突起を中心として同心円弧状に設けられ、床面との当接面が平滑に形成された複数の摺動突部を備える請求項１または２に記載のＯ脚矯正用装具。
【請求項４】
一対の前記足装具の踵部同士を間隔が拡がらないように連結する踵側連結部材を更に備える請求項１から３のいずれかに記載のＯ脚矯正用装具。
【発明の詳細な説明】
【技術分野】
【０００１】
本発明は、Ｏ脚を矯正するためのＯ脚矯正用装具に関する。
【背景技術】
【０００２】
従来のＯ脚矯正具として、例えば特許文献１に開示されたベルト状の構成が知られている。このＯ脚矯正具は、両脚の太腿部、膝部および下腿部を、それぞれ太腿部用ベルト、膝部用ベルトおよび下腿部用ベルトで巻き締めることにより、Ｏ脚を強制的に治そうとするものである。ところが、このようなベルト方式での矯正は、矯正後にすぐにＯ脚に戻りやすいため十分な効果を得にくいだけでなく、膝や股などの関節に痛みが生じるおそれがあった。
【０００３】
また、特許文献２には、基盤上に左右の足底板が回転可能に設けられたＯ脚矯正用のトレーニング機器が開示されている。このトレーニング機器は、使用者が左右の足底板に足を乗せて立ち、前足が外側、後足が内側となるように足の回動運動を行うことにより、足底板の略中央を中心として足底板が回動し、基盤と足底板との間に作用するバネ力等によって運動負荷がかかるように構成されている。ところが、この構成によれば、使用者のトレーニング時の姿勢が立位に限定されるため、トレーニング環境に制約を受け易いだけでなく、足底板に使用者の体重が作用することによって足底板のスムーズな回動が妨げられるおそれがあった。また、足底板の回動中心が足底板の略中央にあるため、足底板を大きく回動させることが困難であり、効果的なトレーニング負荷が生じ難いという問題もあった。
【先行技術文献】
【特許文献】
【０００４】
【特許文献１】特開２００６−１４９４３２号公報
【特許文献２】特開２００９−１２５５５７号公報
【発明の概要】
【発明が解決しようとする課題】
【０００５】
そこで、本発明は、手軽で効果的なトレーニングを可能にすることで、Ｏ脚の矯正を良好に行うことができるＯ脚矯正用装具の提供を目的とする。
【課題を解決するための手段】
【０００６】
本発明の前記目的は、使用者の両足にそれぞれ装着される一対の足装具と、一対の前記足装具の爪先部同士を連結する爪先側連結部材とを備えており、前記爪先側連結部材は、一対の前記足装具を踵部を中心に回動させることにより、弾性伸縮可能に構成されているＯ脚矯正用装具により達成される。
【０００７】
このＯ脚矯正用装具において、前記各足装具の踵部は、踵後方側に突出する後部支点突起を備えていることが好ましく、前記各足装具は、爪先側が上方を向くように前記後部支点突起を床面に当接させて、前記後部支点突起を中心に回動させることにより、前記爪先側連結部材が伸縮するように構成されていることが好ましい。
【０００８】
また、前記各足装具の踵部は、足裏側に突出する下部支点突起を備えていることが好ましく、前記各足装具は、前記下部支点突起を床面に当接させて、前記下部支点突起を中心に回動させることにより、前記爪先側連結部材が伸縮するように構成されていることが好ましい。この構成において、前記各足装具の裏面側には、前記下部支点突起を中心として同心円弧状に設けられ、床面との当接面が平滑に形成された複数の摺動突部を備えることが好ましい。
【０００９】
上述したＯ脚矯正用装具は、一対の前記足装具の踵部同士を間隔が拡がらないように連結する踵側連結部材を更に備えることが好ましい。
【発明の効果】
【００１０】
本発明によれば、手軽で効果的なトレーニングを可能にすることで、Ｏ脚の矯正を良好に行うことができるＯ脚矯正用装具を提供することができる。
【図面の簡単な説明】
【００１１】
【図１】本発明の一実施形態に係るＯ脚矯正用装具の平面図である。
【図２】図１に示すＯ脚矯正用装具の要部背面図である。
【図３】図１に示すＯ脚矯正用装具の要部斜視図である。
【図４】図１に示すＯ脚矯正用装具の使用状態を示す平面図である。
【図５】図１に示すＯ脚矯正用装具の要部底面図である。
【発明を実施するための形態】
【００１２】
以下、本発明の実施の形態について、添付図面を参照して説明する。図１は、本発明の一実施形態に係るＯ脚矯正用装具の平面図である。また、図２および図３は、それぞれ図１に示すＯ脚矯正用装具の要部背面図および要部斜視図である。図１から図３に示すように、Ｏ脚矯正用装具１は、一対の足装具１０，１０と、これら一対の足装具１０，１０を連結する爪先側連結部材２０および踵側連結部材３０とを備えており、一対の足装具１０，１０を回動させることにより、Ｏ脚防止用の良好なトレーニング効果を得ることができる。
【００１３】
足装具１０は、足Ｆの形状に合わせて板状に形成された足底部１１に、足Ｆの甲を覆う帯状の甲皮部１２が設けられてサンダル状に形成されており、甲皮部１２において足Ｆの甲の外側と接触する部分が肉厚の補強部１２ａとされている。足底部１１の表面は、外側から内側に向けて若干傾斜するように形成されており、足裏のフィット感を高めて一対の足装具１０，１０の回動運動を容易にするため、足の親指に対応する位置が凹状に形成されると共に、足の親指と人差指との間に対応する位置が隆起している。
【００１４】
また、足底部１１には、甲皮部１２に連接されて補強部１２ａから足Ｆの踵側に向けて足Ｆの外側を覆うように、被覆部１３が設けられている。被覆部１３には、足Ｆの踵後方側に突出するように、半球状の後部支点突起１４が設けられている。後部支点突起１４は、フローリング等の床面に当接させた状態を維持し易いように、樹脂やゴム等の摩擦抵抗の大きい材料から形成することが好ましい。
【００１５】
爪先側連結部材２０は、つるまきばねやゴム紐などの弾性伸縮可能な部材からなり、一対の足装具１０，１０の爪先部同士を連結するように設けられている。一対の足装具１０，１０に対する爪先側連結部材２０の取り付けは、着脱可能であることが好ましく、本実施形態においては、つるまきばねからなる爪先側連結部材２０の両端にフック部２０ａ，２０ａを設け、これらフック部２０ａ，２０ａを、一対の足装具１０、１０の爪先部に形成された係止孔１０ａ，１０ａにそれぞれ係止させている。爪先側連結部材２０による一対の足装具１０，１０の連結位置は、足装具１０，１０のなるべく先端近くであることが好ましいが、必ずしも最先端である必要はない。
【００１６】
踵側連結部材３０は、一対の足装具１０，１０の踵部同士を連結するように設けられている。踵側連結部材３０は、可撓性部材からなり、一対の足装具１０，１０の間隔が拡がらないように伸縮不能に形成されている。踵側連結部材３０は、例えば、樹脂材料等を用いて一対の足装具１０，１０と一体成形することが可能である。
【００１７】
次に、上記の構成を備えるＯ脚矯正用装具１を用いたトレーニング方法を説明する。まず、一対の足装具１０，１０を両足にそれぞれ装着し、床に仰向けに寝た状態で両脚を伸ばし、両踵の後部支点突起１４，１４を床面に当接させて一対の足装具１０，１０の爪先側を上方に向ける。そして、図４に示すように、後部支点突起１４，１４を支点として、爪先側連結部材２０の弾性力に抗して両足Ｆ，Ｆをそれぞれ矢示方向に回動させる動作を繰り返し行う。Ｏ脚の原因は、両脚の大腿骨が内側に回ることで両膝が内旋して、両膝の距離が拡がるためと考えられることから、上記の動作により股関節の外旋筋を鍛えることで、外旋筋の力で両脚を外側に回して両膝を正常な状態に維持することができ、Ｏ脚の矯正を行うことができる。
【００１８】
本実施形態のＯ脚矯正用装具１によれば、構造が簡易で装着が容易なだけでなく、使用者が仰臥位でトレーニングを行うことができるため、外旋筋以外の筋肉に負荷がかかるのを抑制し、Ｏ脚の矯正に必要な外旋筋を集中的に鍛えることができる。したがって、安価な構成により良好なＯ脚矯正効果を得ることができる。また、自宅等でテレビを見たり読書をするなど、仰臥位でリラックスしながらトレーニングを行うことができるので、継続性にも優れている。更に、外旋筋の強化により、ヒップアップや骨盤の引き締め調整の効果も得ることができる。
【００１９】
また、両踵の後部支点突起１４，１４が両足の回動動作の支点になるため、従来の構成に比べて支点から爪先までの回動半径を大きくすることができ、これによってもトレーニング効果を高めることができる。また、後部支点突起１４，１４は、床面との当接による踵の痛みを抑制すると共に、トレーニング中の位置ずれを防止可能であるが、本発明において必須のものではなく、後部支点突起１４，１４を備えない構成であってもよい。
【００２０】
また、爪先側連結部材２０は、一対の足装具１０，１０に対して着脱可能に設けることで、負荷の強度が異なる複数種類から使用者が適宜選択して、容易に取り替えて使用することができる。但し、爪先側連結部材２０を一対の足装具１０，１０から分離不能に一体的に形成してもよい。
【００２１】
また、踵側連結部材３０は、一対の足装具１０，１０の踵部同士を間隔が拡がらないように保持するので、トレーニング中に一対の足装具１０，１０が床面を滑って回動支点の位置ずれが生じるのを防止することができる。踵側連結部材３０は、一対の足装具１０，１０のスムーズな回動動作を妨げないように可撓性を有することが好ましい。踵側連結部材３０が可撓性を有することで、搬送時には一対の足装具１０，１０を折り畳んでシューズケース等に収納することができ、携帯にも便利である。但し、踵側連結部材３０は、本発明において必須のものではなく、回動支点の位置ずれを他の手段で防止可能であれば、踵側連結部材３０を備えない構成であってもよい。また、踵側連結部材３０を設けずに、一対の足装具１０，１０の踵部同士を直接連結することもできる。
【００２２】
以上説明したように、本発明のＯ脚矯正用装具は、使用者が仰臥位でトレーニングするのに適しているが、仰臥位だけでなく立位でトレーニングを行うことも可能であり、一対の足装具１０、１０における足底部１１，１１の裏面側の踵部をそれぞれ床面に当接させ、踵部を支点に爪先側を外側に回動させて爪先側連結部材２０を伸縮させることができる。この場合、図５に示すように、足底部１１の裏面側の踵部に、足裏側に突出する半球状等の下部支点突起１５を設け、下部支点突起１５を床面に当接させて下部支点突起１５を中心に回動させることで、踵部を中心とした回動運動を容易に行うことができ、トレーニング効果を高めることができる。足底部１１の裏面側には、下部支点突起１５を中心として同心円弧状に延びる複数の摺動突部１６を設けてもよい。この摺動突部１６は、床面との摩擦抵抗が小さくなるように床面との当接面が平滑に形成されていることが好ましく、例えば、円弧状の金属板を貼着して構成することができる。これにより、下部支点突起１５を中心とした回動動作をよりスムーズに行うことができる。
【符号の説明】
【００２３】
１  Ｏ脚矯正用装具
１０  足装具
１４  後部支点突起
１５  下部支点突起
１６  摺動突部
２０  爪先側連結部材
３０  踵側連結部材
【図１】
2014113182.tif 000003
【図２】
2014113182.tif 000004
【図３】
2014113182.tif 000005
【図４】
2014113182.tif 000006
【図５】
2014113182.tif 000007